(57)【要約】【課題】  本発明はゴムクロ−ラの耳部のゴム割れに対して対策を講じたものであり、ゴムクロ−ラの寿命の向上を目指したものである。【解決手段】  無端状のゴム弾性体と、その長手方向に添って埋設されたメインコ−ドと、その内側及び／又は外側に埋設されたバイアスコ−ドと、からなるゴムクロ−ラであって、ブレ−カ−の内端をメインコ−ドと重ね合わせ、かつ先端をメインコ−ドよりも幅方向に突出させて埋設したことを特徴とするゴムクロ−ラ。１‥ゴム弾性体、２‥メインコ−ド、３、４、４ａ、４ｂ‥バイアスコ−ド、５‥ゴム突起、６‥ゴムラグ、１０‥ゴムクロ−ラの左右の端部（耳部）、２０‥ブレ−カ−、２０ａ‥ブレ−カ−の先端、２０ｂ‥ブレ−カ−の内端、２１‥高硬度ゴム。【選択図】図３
2006103560.tif 000002
【特許請求の範囲】
【請求項１】
無端状のゴム弾性体と、その長手方向に添って埋設されたメインコ−ドと、その内側及び／又は外側に埋設されたバイアスコ−ドと、からなるゴムクロ−ラであって、ブレ−カ−の内端をメインコ−ドと重ね合わせ、かつ先端をメインコ−ドよりも幅方向に突出させて埋設したことを特徴とするゴムクロ−ラ。
【請求項２】
ブレ−カ−の他端をメインコ−ド側に曲げて埋設した請求項１記載のゴムクロ−ラ。
【請求項３】
メインコ−ドと、バイアスコ−ドとの幅方向端部をほぼ同じ位置にして埋設した請求項１記載のゴムクロ−ラ。
【発明の詳細な説明】
【技術分野】
【０００１】
本発明は耐久性を向上したゴムクロ−ラに関するものである。
【背景技術】
【０００２】
ゴムクロ−ラには、芯金が埋設される構造のものもあるが、図１は芯金レスゴムクロ−ラである。即ち、無端状のゴム弾性体１中にその長手方向に添ってメインコ−ド２が埋設され、その内側及び／又は外側にバイアスコ−ド３、４が同時に埋設された構造である。そして、ゴムクロ−ラの内周側には一定ピッチをもってゴム突起５が形成され、スプロケットからの駆動力の伝達に供される。又、ゴムクロ−ラの外周側にはゴムラグ６が形成されている。
【０００３】
しかるに、メインコ−ド２はゴムクロ−ラに加わる張力に抗するためのものであり、バイアスコ−ド３、４はゴムクロ−ラの直進性の保持や捩じれ等の外力に対して抗するためのものである。そして、メインコ−ド２とバイアスコ−ド３、４はその幅をほぼ同一幅としてゴム弾性体１中に埋設されている。
【０００４】
さて、図２に示すように、ゴムクロ−ラにあっては、走行中の外部から力が加わることによりゴムクロ−ラの左右の端部（耳部）１０にゴム割れが生じたり、ゴム欠けに至ってしまうことがある。走行中に路面の突起物や縁石７に端部が乗り上げた場合、応力の集中により耳部１０にゴム割れＣがもたらされてしまう。
【発明の開示】
【発明が解決しようとする課題】
【０００５】
本発明はゴムクロ−ラの耳部のゴム割れに対して対策を講じたものであり、ゴムクロ−ラの寿命の向上を目指したものである。
【課題を解決するための手段】
【０００６】
本発明の要旨は、無端状のゴム弾性体と、その長手方向に添って埋設されたメインコ−ドと、その内側及び／又は外側に埋設されたバイアスコ−ドと、からなるゴムクロ−ラであって、ブレ−カ−の内端をメインコ−ドと重ね合わせ、かつ先端をメインコ−ドよりも幅方向に突出させて埋設したことを特徴とする。
【発明の効果】
【０００７】
本発明は以上の通りであり、ゴムクロ−ラ中に埋設される各コ−ドの配列を変えずに、単にブレ−カ−を埋設するだけで、耳部の亀裂や欠けが低減したものであり、ゴムクロ−ラの寿命が大きく向上することとなったものである。
【発明を実施するための最良の形態】
【０００８】
前記したゴムクロ−ラの耳部の亀裂等に対し、その発生の状況を精査するに、ゴムクロ−ラの幅方向における剛性の相違が著しいことから来ることが判明した。即ち、ゴムクロ−ラの中心位置には各コ−ドが集中して配置され、しかもその幅方向の先端がほぼ同じ位置まで埋設されていることから、コ−ドが埋設されている中心部の剛性は極めて高いが、これを外れた耳部は剛性が極端に小さくなっており、その境界部位ではゴムに対する外力からの歪みが大きく異なり、これによって両者の境界部位での亀裂の発生が起こることになることが判明した。
【０００９】
本発明は、ゴムクロ−ラの幅方向の耳部と中心部との剛性の差を漸次変化させることによってゴムにもたらされる歪みの集中を避けようとするものであり、メインコ−ドの幅方向の端部よりも更に幅方向にまでブレ−カ−を突出させて埋設することで達成したものである。
【００１０】
ブレ−カ−の幅方向の先端をメインコ−ドの幅端部よりも突出させて埋設し、剛性の差を低減させるものである。ブレ−カ−の内側の端部はメインコ−ドと重ね合わせて埋設し、端部を支持することが必要である。従って、メインコ−ドとバイアスコ−ドとの間にはさまれて埋設されるのが好ましい。ブレ−カ−の具体例としては、後述するバイアスコ−ド３と同じ形態か、更にはバイアスコ−ド４と同じか、或いは織布又は不織布であっても良い。具体的には、ナイロンコ−ドやポリエステルコ−ドが適当である。勿論、ブレ−カ−は一層でも複数層でも良い。
【００１１】
尚、バイアスコ−ドのうち、メインコ−ドより内周側のコ−ド３は、通常はメインコ−ドと直角のコ−ドよりなっており、一方、メインコ−ドより外側のコ−ド４は、通常は２層のコ−ドよりなり、メインコ−ドに対して夫々３０〜４０度程度の逆の角度をもってコ−ドが配置されている。
【００１２】
尚、ブレ−カ−の先端をメインコ−ド側に曲げて埋設するのが好ましく、このため、例えば、メインコ−ドの外側に硬質ゴム（加硫ゴムや未加硫ゴム）材を添えて加硫したり、ブレ−カ−が２層の場合には、その間に先細の同様のゴムを添えて加硫することが好ましい。
【実施例】
【００１３】
以下、実施例を図面をもって更に詳細に説明する。
図３は本発明の第１実施例を示す幅方向半裁断面図である。即ち、無端状のゴム弾性体１中にその長手方向に添ってメインコ−ド２が埋設され、その内側にバイアスコ−ド３、その外側に２層のバイアスコ−ド４ａ、ａｂが同時に埋設された構造である。そして、ゴムクロ−ラの内周側には一定ピッチをもってゴム突起５が形成され、ゴムクロ−ラの外周側にはゴムラグ６が形成されている。
【００１４】
バイアスコ−ド３はメインコ−ド２に直角に配置されたナイロンコ−ドである。一方、バイアスコ−ド４ａ、４ｂはこれもナイロンコ−ドであり、メインコ−ド２に対し夫々３８度の角度をもって逆方向に向けて配置されたものである。そして、メインコ−ド２、各バイアスコ−ド３、４ａ、４ｂはその左右の幅端がほぼ同一個所に位置する構造となっている。
【００１５】
さて、符号２０はブレ−カ−であって、バイアスコ−ド４ｂの外側にあって、内端２０ｂはメインコ−ド２と重なり、先端２０ａがメインコ−ド２の端部よりも外側、いわゆる耳部内に達するようにして埋設したものである。
【００１６】
図示するように、ブレ−カ−２０の先端２０ａはなるべくメインコ−ド２の位置に近付けておくのがよく、やや内周側に湾曲させた構造としてある。このため、比較的硬質のゴム条２１をブレ−カ−２０の先端２０ａに添わせて加硫し、先端２０ａを湾曲することができる。ゴム条２１は、高硬度ゴム（好ましくは硬度８０以上）の紐条体でよい。以下の例でも同様にこの手段が利用可能である。又、この紐条体２１は加硫或いは半加硫のゴム材であってもよい。
【００１７】
このようにしたことにより、路面の突起物に耳部が乗り上げた場合でも、メインコ−ド２やバイアスコ−ド３、４の端部近傍に応力が集中するのを防ぐことができることとなったものであり、耳部の亀裂や欠けが極めて低減できたものである。
【００１８】
図４は第２実施例であり、ブレ−カ−２０を内周側のバイアスコ−ド３の更に内側にその内端２０ｂを配置した例である。この例でも、ブレ−カ−２０の先端２０ａはなるべくメインコ−ド２の位置に近付けておくのがよく、やや内周側に湾曲させた構造としたもので、前記例と同様に応力の集中を防ぐことができ、その結果、耳部の亀裂や欠けが低減できたものである。尚、上記したゴム条２１に相当する高硬度ゴムを同時に埋設することも可能である。
【００１９】
図５は第３実施例であり、ブレ−カ−２０はメインコ−ド２に添ってその外側に配置した例である。
【００２０】
図６は第４実施例であり、バイアスコ−ド３を省略し、ブレ−カ−２０をバイアスコ−ド３の位置に配置した例である。前記のゴム条２１について言えば、ブレ−カ−２０の先端２０ａの内周側にこれを添わせるものである。
【００２１】
ブレ−カ−２０は複数枚配置してもよいことは勿論であり、図７は第５実施例であり、２枚のブレ−カ−２０、２０をバイアスコ−ド３の内側及びバイアスコ−ド４ｂの外側に配置した例である。
【００２２】
図８は第６実施例であり、ブレ−カ−２０、２０はバイアスコ−ド３の内側及びバイアスコ−ド４ｂの外側に配置した例であるが、断面形状が先細の略三角形をなす高硬度ゴム２２を内側に挟んで配置されたものである。このため、ブレ−カ−２０、２０はこの略三角形状に添って埋設され、応力の分散がより確実となる。
【００２３】
以上のように、本発明の構成は多様であって、図例の構成を種々組み合わせることができることは言うまでもない。
【産業上の利用可能性】
【００２４】
本発明は以上の通りであり、芯金レスのゴムクロ−ラのみならず、芯金が埋設されたゴムクロ−ラにも適用可能であり、その利用範囲は極めて広い。
【図面の簡単な説明】
【００２５】
【図１】図１は従来のゴムクロ−ラの断面図である。
【図２】図２は図１のゴムクロ−ラの走行時の半裁断面図である。
【図３】図３は本発明のゴムクロ−ラの第１実施例を示す半裁断面図である。
【図４】図４は本発明のゴムクロ−ラの第２実施例を示す半裁断面図である。
【図５】図５は本発明のゴムクロ−ラの第３実施例を示す半裁断面図である。
【図６】図６は本発明のゴムクロ−ラの第４実施例を示す半裁断面図である。
【図７】図７は本発明のゴムクロ−ラの第５実施例を示す半裁断面図である。
【図８】図８は本発明のゴムクロ−ラの第６実施例を示す半裁断面図である。
【符号の説明】
【００２６】
１‥ゴム弾性体、
２‥メインコ−ド、
３、４、４ａ、４ｂ‥バイアスコ−ド、
５‥ゴム突起、
６‥ゴムラグ、
１０‥ゴムクロ−ラの左右の端部（耳部）、
２０‥ブレ−カ−、
２０ａ‥ブレ−カ−の先端、
２０ｂ‥ブレ−カ−の内端、
２１、２２‥高硬度ゴム、
Ｃ‥ゴム割れ。
【図１】
2006103560.tif 000003
【図２】
2006103560.tif 000004
【図３】
2006103560.tif 000005
【図４】
2006103560.tif 000006
【図５】
2006103560.tif 000007
【図６】
2006103560.tif 000008
【図７】
2006103560.tif 000009
【図８】
2006103560.tif 000010